(57)【要約】【課題】特に音色の設定を容易にして、豊かで多彩なメロディ音を得ることができる携帯用端末装置のための発音制御装置を提供すること。【解決手段】この発明の発音制御装置８は楽音の発音が可能な携帯用端末装置に備えられる。制御回路２１は、演奏情報及び設定情報から成る楽曲情報を携帯用端末装置の本体バス１１から取り込んで、演奏情報をＦＩＦＯ２２に記憶し設定情報を音色／効果ＲＡＭ２３に記憶する。設定情報は、音色ナンバ（音色種類識別情報）及び音色パラメータ（音色設定用詳細情報）を含み、音源回路２４は、設定情報に基づき発音すべき音色を設定し、ＦＩＦＯ２２から読出回路２６を介して読み出される演奏情報に対応して、設定音色が与えられた楽音信号ＳＭを生成する。生成された楽音信号ＳＭは、ミキサ２７等を通じて、オーディオ制御回路７、発音用スピーカ１７又はディジタル出力端子１８に出力される。【選択図】図２
2004318168.tif 000002
【特許請求の範囲】
【請求項１】
楽音の発音が可能な携帯用端末装置に備えられる発音制御装置であって、
演奏情報並びに音色ナンバ及び音色パラメータを含む設定情報から成るフォーマットの楽曲情報を取得する情報取得手段と、
上記設定情報に基づいて設定される音色が与えられ上記演奏情報に対応する楽音信号を生成する音源手段と、
上記楽音信号を出力する出力手段と
を具備することを特徴とする楽音制御装置。
【発明の詳細な説明】
【技術分野】
【０００１】
この発明は、発音制御装置、より詳細には、携帯用電話機端末のような携帯用端末装置に内蔵される発音制御装置に関する。
【背景技術】
【０００２】
近年の携帯用電話機端末の発展に伴い、着信した時にメロディ音を鳴らせるものがある。このような携帯用電話機端末において再生できるメロディ音は、ブザー音を利用した単音発音の楽曲であった。また、このような楽曲情報は、基地局等よりダウンロードすることができるようになっていた。
【０００３】
しかしながら、従来の携帯用電話機端末におけるこの種のメロディ音再生装置では、複数種類の楽音を同時に発音する楽曲を再生することができず、音色や効果等の各種設定を行うこともできなかった。従って、多様な楽曲を再生して楽しむことができなかった。
【発明の開示】
【発明が解決しようとする課題】
【０００４】
この発明の主たる目的は、このような事情に鑑み、携帯用端末装置において、ＦＭ音源等を利用して複数音を同時に発音させて、着信時のメロディ音や通話中のバックグラウンドミュージック（ＢＧＭ）音等を鳴らす場合に、特に、楽音情報の音色の設定を容易に行うことができ、豊かで多様・多彩な楽曲の再生を実現することができる発音制御装置を提供することにある。
【課題を解決するための手段】
【０００５】
この発明の主たる特徴に従うと（以下、理解の便のため、対応する実施例の参照記号等を例示的に括弧内に付記する。）、楽音の発音が可能な携帯用端末装置（ＴＳ）に備えられる発音制御装置（８）であって、演奏情報（ＭＡ）並びに音色ナンバ（ＮＡ：音色種類識別情報）及び音色パラメータ（ＤＡ：音色設定用詳細情報）を含む設定情報（ＳＡ）から成るフォーマット（図５）の楽曲情報（ＩＡ）を取得する情報取得手段（２１，３２）と、設定情報（ＳＡ）に基づいて設定される音色が与えられ演奏情報（ＭＡ）に対応する楽音信号（ＳＭ）を生成する音源手段（２４，３６）と、楽音信号を出力する出力手段（２７〜３０，３８〜４２）とを具備する楽音制御装置が提供される。
【発明の効果】
【０００６】
この発明による発音制御装置（８）は、楽音の発音が可能な携帯用端末装置（ＴＳ）に備えられ、情報取得手段（２１，３２）、音源手段（２４，３６）及び出力手段（２７〜３０，３８〜４２）を備える。携帯用端末装置（ＴＳ）は、基地局（ＢＳ：サーバ）から楽曲情報（ＩＡ）をダウンロードすることができ、情報取得手段（２１，３２）により携帯用端末装置（ＴＳ）の本体から当該楽曲情報（ＩＡ）を取り込むことができる。この楽曲情報（ＩＡ）のフォーマットは、演奏情報（ＭＡ）並びに設定情報（ＳＡ）から成り、設定情報（ＳＡ）には、音色種類の識別情報である音色ナンバ（ＮＡ）及び音色設定用の詳細情報である音色パラメータ（ＤＡ）が含まれる（図５）。音源手段（２４，３６）は、このように音色ナンバ（ＮＡ）及び音色パラメータ（ＤＡ）を含む設定情報（ＳＡ）に基づき発音すべき音色を設定し、演奏情報（ＭＡ）に対応して、設定された当該音色が与えられた楽音信号ＳＭを生成する。生成された楽音信号ＳＭは、出力手段（２７〜３０，３８〜４２）を通じて、携帯用端末装置（ＴＳ）本体のスピーカ等（７，１７，１８）に出力される。
【０００７】
この発明によれば、ＦＭ音源等を利用して複数音を同時に発音させて、着信時のメロディ音や通話中のバックグラウンドミュージック（ＢＧＭ）音等を鳴らす場合に、上述のように、楽曲情報のフォーマットを、音色ナンバ及び音色パラメータを含む音色設定のための設定情報と楽音演奏用の演奏情報とにより構成し、これら設定及び演奏情報に従って発音制御を行うようにしているので、特に、楽音情報の音色の設定を容易に行うことができ、豊かで多様・多彩な楽曲の再生を実現することができると共に、必要最小限の情報のみを記録した楽曲情報を用いて、携帯用端末装置の本体メモリの記憶容量を圧迫せず、しかも、よりよい楽音の発音を実現することができる。
【０００８】
〔種々の特徴〕
なお、この明細書に記載されている発明に備えられる種々の特徴によれば、携帯用端末装置において、ＦＭ音源等を利用して複数音を同時に発音させて、着信時のメロディ音や通話中のバックグラウンドミュージック（ＢＧＭ）音等を鳴らす場合に、楽音情報の音色や効果等の設定、編集、作成等を容易に行うことができ、豊かで多様・多彩な楽曲の再生を実現すると共に、端末装置の処理機能やユーザの好みに適合した楽音を得ることができる発音制御装置を提供し、また、再生される楽音と共に音声や画像を併用して多様な態様で楽しむことができる携帯用端末装置を提供することを目的として、以下の（１）〜（８）のように構成することができる。
【０００９】
（１）楽音の発音が可能な携帯用端末装置に備えられる発音制御装置であって、演奏情報並びに音色及び効果に関する設定情報を取得する情報取得手段と、音色に関する設定情報に基づいて設定される音色が与えられ演奏情報に対応する楽音信号を生成する音源手段と、生成された楽音信号に対して、効果に関する設定情報に基づいて設定される効果を付与する効果付与手段と、効果が付与された楽音信号を出力する出力手段とを具備するもの：この構成によると、楽音の発音が可能な携帯用端末装置において、音色に関する設定情報に基づいて設定される音色が与えられ演奏情報に対応する楽音信号を生成し、この楽音信号に対して、効果に関する設定情報に基づいて設定される効果を付与するようにした発音制御装置を備えているので、ＦＭ音源等を利用して複数音を同時に発音させて、着信時のメロディ音、通話中のＢＧＭ音、任意の必要時に楽しむ音楽等を豊かで多彩なものとすることができる。
【００１０】
（２）楽音の発音が可能な携帯用端末装置に備えられる発音制御装置であって、楽音情報を記憶する記憶手段と、記憶された楽音情報に基づいて、所定の音色をもち所定の効果が付与された楽音信号を生成する楽音生成手段と、携帯用端末装置とは独立して、これらの記憶手段及び楽音生成手段を制御する制御手段とを具備するもの：この構成によると、所定の音色をもち所定の効果が付与された楽音信号を生成するのに、携帯用端末装置とは独立して動作する制御手段（ＣＰＵ）を用いているので、携帯用端末装置本体の制御に拘束されず、余裕のある楽音信号生成処理を行うことができる。
【００１１】
（３）楽音情報、音声情報及び画像情報を記憶する記憶手段と、記憶された楽音情報に基づいて、楽音情報に含まれる設定情報に対応する所定の音色乃至効果（「乃至」は、双方又は何れか一方つまり“及び／又は”の意味で用いられる。以下、同じ。）が与えられた楽音信号を生成する発音制御装置と、記憶された音声情報及び画像情報に基づいて音声信号及び画像信号を生成する手段とを具備する携帯用端末装置：この構成によると、楽音情報に基づいて、楽音情報に含まれる設定情報に対応する所定の音色乃至効果が与えられた楽音信号を生成すると共に、音声情報及び画像情報に基づいて音声信号及び画像信号を生成するようにしているので、再生される楽音と共に音声や画像を併用して多様な態様で楽しむことができる。
【００１２】
また、（３）の携帯用端末装置においては、記憶手段に記憶される楽音情報は、記憶手段の記憶容量に対応して、汎用楽音情報フォーマットに比べてダウンサイジングされたフォーマットにて記述されているものとすることができる。この構成によれば、記憶手段の記憶容量に対応して、汎用楽音情報フォーマットに比べてダウンサイジングされたフォーマットにて記述されている楽音情報を用いて楽音信号を生成するようにしているので、携帯用端末装置のデータ処理機能及び容量の許容最大限の範囲内において、つまり、装置内のメモリを圧迫しないで、良質の楽音を再生することができる。
【００１３】
（４）楽音の発音が可能な携帯用端末装置及び楽音情報源を有する基地局から成る楽音情報利用システムにおいて、携帯用端末装置から送信される選択情報に応じて、対応する楽音情報を楽音情報源から選択する情報選択手段と、選択された楽音情報について、携帯用端末装置で発音される楽音に与える音色乃至効果を表わす設定情報を付与する設定情報付与手段と、設定情報が付与された楽音情報に基づいて、所定の音色乃至効果が与えられた楽音信号を生成する発音制御装置とを具備する楽音情報利用システム：この構成によると、携帯用端末装置及び楽音情報源を有する基地局（サーバ）により楽音情報利用システムを形成し、携帯用端末装置から送信される選択情報に応じて、対応する楽音情報を楽音情報源から選択し、選択された楽音情報について、携帯用端末装置で発音される楽音に与える音色乃至効果を表わす設定情報を付与し、設定情報が付与された楽音情報に基づいて、所定の音色乃至効果が与えられた楽音信号を生成するようにしているので、サーバのデータベースを有効に利用し、より豊かで多彩な楽音を得ることができる。
【００１４】
また、（４）の楽音情報利用システムは、さらに、選択情報を送信した携帯用端末装置に対して課金作業を行う課金手段を具備するように構成することができる。このように構成すると、さらに、選択情報を送信した携帯用端末装置に対して課金作業を行うことにより、特定の携帯用端末装置ユーザに対して相応するサービスを提供することができる。
【００１５】
（５）楽音の発音が可能な携帯用端末装置及び楽音情報の作成又は編集が可能な楽音情報処理装置から成る楽音情報利用システムにおいて、作成又は編集された楽音情報を圧縮する情報圧縮手段と、圧縮された楽音情報に基づいて、所定の音色乃至効果が与えられた楽音信号を生成する発音制御装置とを具備するもの：この構成によると、パーソナルコンピュータ端末或いはインテリジェントな電子楽器のような楽音情報処理装置と共に楽音情報を利用し、楽音情報処理装置において、所望の形態の楽音情報を作成又は編集し、携帯用端末装置の処理機能に応じたサイズに圧縮するようにしているので、携帯用端末装置の能力に合った楽音情報の音色や効果等の設定、編集、作成等を容易に行うことができる。
【００１６】
（６）楽音の発音が可能な携帯用端末装置及び楽音情報を記憶している楽音情報源から成る楽音情報利用システムにおいて、楽音情報源に記憶されている楽音情報を携帯用端末装置内に取り込む情報取込み手段と、取り込まれた楽音情報を編集する情報編集手段と、編集された楽音情報に基づいて、所定の音色乃至効果が与えられた楽音信号を生成する発音制御装置とを具備するもの：この構成によると、外部記憶媒体や他の電話機端末のような楽音情報源に記憶されている楽音情報を携帯用端末装置内に取り込み、取り込まれた楽音情報を編集するようにしているので、種々の形態の楽音情報を携帯用端末装置の処理能力やそのユーザの好みに適した楽音情報に加工することができる。
【００１７】
要するに、これらの構成によれば、携帯用端末装置内の発音制御装置に複数音同時発音可能な音源回路を設け、楽音発音に関する設定情報に基づいて音色や効果等を楽音に付与するようにしているので、着信時のメロディや通話中のＢＧＭ等として、さらには、ユーザの必要に応じて随時楽しむ音楽として、多彩且つ音感豊かな楽曲を再生することができる。また、楽音情報を含む各種情報は、基地局、パーソナルコンピュータ端末、他の電話機端末、小型記憶媒体等の外部情報源から任意に取り込むことができ、拡張性が高くなるので、広範囲且つ多様な楽曲を着信メロディやＢＧＭ等として再生することができる。
【００１８】
また、携帯用端末装置に取り込む情報は、楽音発音に関する設定情報を添付したり、端末装置の記憶容量に合うように必要でない情報を削除して情報圧縮したり、自機種つまり端末装置自体で利用可能なフォーマットに変換することにより、端末装置で使用可能な形態に変換することができるので、拡張性を一層高めることができる。さらに、編集手段の採用により、各種設定に関する情報が添付された楽音情報を、情報量のダウンサイジングを図りつつ、容易に取得することができる。
【発明を実施するための最良の形態】
【００１９】
以下、図面を参照しつつ、この発明の好適な実施例について詳述する。なお、以下の実施例は、単なる一例であって、この発明の精神を逸脱しない範囲で種々の変更が可能である。
【００２０】
〔端末システムの概要〕
図１は、この発明の一実施例による発音制御装置が適用される携帯用電話機端末の基本的構成を表わす概略ブロック図である。端末システムＴＳは、端末システム用中央処理装置（本体ＣＰＵ）１、端末システム用読出専用メモリ（本体ＲＯＭ）２、端末システム用ランダムアクセスメモリ（本体ＲＡＭ）３、検出回路４、表示回路５、送受信回路６、オーディオ制御回路７、発音制御回路８、接続回路９、通信インターフェイス（Ｉ／Ｆ）１０等を備え、これらの装置１〜１０は、端末システム用バス（本体ＢＵＳ）１１を介して互いに接続される。
【００２１】
この端末システムＴＳにおいては、端末システム全体を制御する本体ＣＰＵ１は、所定のプログラムに従って、通話制御、画面制御、発音制御等、種々の制御を行う。本体ＲＯＭ２には、これらの処理を遂行するために、所定の制御プログラムや制御用データが記憶されている。例えば、楽音に関しては、着信時のメロディや通話中のバックグラウンドミュージック（ＢＧＭ）等を鳴らすための楽曲情報、演奏情報、設定情報、情報形式変換用の変換テーブル、情報圧縮用の圧縮テーブルをそれぞれ複数記録しており、楽音以外に関しては、所定の音声情報や画像情報等を設定情報として予め記録している。なお、設定情報とは、端末システムＴＳにおいて着信時、通話中或いは必要に応じた任意の時間に音響の放音又は画像の表示に関する処理を実行する条件として設定される情報をいう。この設定情報には、楽音の音色や効果（ＤＳＰを含む）に関する楽音関連の設定情報の外、音声情報、画像情報、音声及び画像の制御情報等がある。
【００２２】
本体ＲＡＭ３は、これらの通話制御、画面制御、発音制御等の処理に際して必要なデータやパラメータ等を記憶するために用いられ、端末システムＴＳに追加的に導入される或いは端末システムＴＳ内で新規に作成される複数の楽曲情報、演奏情報、設定情報を記憶することができる。
【００２３】
検出回路４は、携帯用電話機端末の本体表面に設けられた押しボタンスイッチ等から成る操作子１２を備え、操作子１２のスイッチ操作状態を検出する。これらのスイッチには、通話時に使用される通話スイッチ、着信メロディのダウンロード要求スイッチ、発音制御回路８（音源／効果回路）の設定スイッチ、各種情報の作成／編集スイッチ等が含まれる。また、表示回路５には表示部１３が接続され、表示部１３の液晶画面上には、各種通話情報や、発音制御に関係する各種メロディ情報等、各種視認情報を表示することができる。
【００２４】
送受信回路６は、通信アンテナを備え、基地局（サーバ局又は中継局ともいう。）を介して他の電話機端末と交信し通話するための回路であり、楽曲情報や設定情報の要求や受取りにも用いられる。一方、オーディオ制御回路７は、通話時の音声信号や、楽音の入出力信号を制御するために設けられた回路であり、マイクロフォン（ＭＩＣ）１４からの入力音声を送受信回路６に送信する音声送信機能や、送受信回路６で受信した通話音声信号を通話用スピーカ１５及び外部出力端子１６に送出する音声再生機能のほか、発音制御回路８から受信する楽音信号を通話用スピーカ１５及び出力端子１６に送出するＢＧＭ再生機能等を有している。
【００２５】
発音制御回路８は、着信メロディ音やＢＧＭ音等の楽音信号を制御するための一連の処理を独自に行う回路で、複数音を同時に発音することが可能である。つまり、楽音信号を合成して発音用スピーカ１７やオーディオ制御回路７に送信することにより、着信メロディやＢＧＭ等の楽音を発音させる機能を有している。発音制御回路８は、また、ディジタル楽音信号を他のディジタル楽音信号利用機器に送信するためのディジタル出力端子１８を備えている。なお、発音用スピーカ１７は、通話用スピーカ１５と兼用にして１つにまとめる構成にすることができる。
【００２６】
接続回路９は、可搬式の着脱可能小型記憶媒体１９を装着するための回路であり、装着された小型記憶媒体１９から楽曲情報を含む各種情報を取り込むことができ、逆に、記憶媒体１９に情報を書き込むこともできる。また、通信Ｉ／Ｆ１０は、外部装置とのケーブル接続用端子を備え、この端子に接続される通信ケーブル２０を介して、他の電話機端末やパーソナルコンピュータ（ＰＣ）端末と交信し、楽曲情報を含む各種情報を、これらの装置から端末システムＴＳに取り込んだり、端末システムＴＳからこれらの装置に授与することができる。
【００２７】
〔発音制御回路（１）〕
図２は、この発明の一実施例による発音制御回路の詳細な構成を表わすブロック図である。この例では、発音制御回路８は、回路内にＣＰＵを備えておらず、携帯用電話機端末（端末システムＴＳ）本体に装備されている本体ＣＰＵ１により動作制御される。発音制御回路８は、システムＢＵＳ１１に接続されるバス接続経路を介して、楽曲情報、演奏情報、設定情報やその他情報（再生開始／停止等）を送受信する。
【００２８】
制御回路２１は、上述のバス接続経路を介して、端末システムＴＳ本体との双方向情報通信を行なうことができる。本体側で予め用意されたり或いは外部から受信された演奏情報や設定情報は、本体ＲＯＭ２或いは本体ＲＡＭ３に記録乃至格納されているが、制御回路２１により、演奏情報は先入れ先出しメモリ（ＦＩＦＯ）２２に記憶し、音色及び効果に関する設定情報は音色／効果ＲＡＭ２３に記憶することができる。
【００２９】
制御回路２１は、また、本体側より指定された設定音色及び設定効果に基づいて、音色／効果ＲＡＭ２３内の音色設定情報及び効果設定情報（ＤＳＰプログラムを含む）を読み出し、音源回路２４及び効果回路２５における音色及び効果を設定する。制御回路２１は、さらに、ＦＩＦＯ２２や音色／効果ＲＡＭ２３の記憶許容量の限界を本体に連絡し、本体側からの情報通信の一時停止を要求する機能を有している。
【００３０】
ＦＩＦＯ２２及び読出回路２６は、本体ＲＯＭ２乃至本体ＲＡＭ３から受信した演奏情報を、順次、音源回路に送信する演奏情報供給制御装置として機能する。すなわち、ＦＩＦＯ２２は、受信した演奏情報を受信順に一時記憶し、読出回路２６は、所定時間毎にＦＩＦＯ２２にアクセスし、情報があればそれを順次続み出して音源回路２４に出力する。
【００３１】
音源回路２４は、例えば、ＦＭ音源であり、複数音を同時に発音することが可能である。音源回路２４は、音色／効果ＲＡＭ２３から受信した音色に関する設定情報に基づき発音すべき音色を設定すると共に、読出回路２６から受信した演奏情報に基づき、設定されている音色に対応する楽音信号を順次合成してミキサ（ＭＩＸ）２７に出力する。
【００３２】
効果回路２５は、音色／効果ＲＡＭ２３から受信した効果に関する設定情報に基づいて、付与すべきリバーブ等の効果を設定する回路であり、設定された効果をＭＩＸ２７から入力される信号にＤＳＰプログラムに従って付与し、効果を付与した後の信号を再びＭＩＸ２７に出力する。
【００３３】
ＭＩＸ２７には、端末システムＴＳ本体のオーディオ制御回路７との接続経路を介して、通話音がディジタル信号で入力される。ＭＩＸ２７は、音源回路２４、効果回路２５及びオーディオ制御回路から入力される諸信号を合計する。すなわち、ＭＩＸ２７への入力信号には、
（１）音源回路２４からの合成楽音信号ＳＭ、
（２）オーディオ制御回路７からの通話音信号ＳＴ、
（３）効果回路２５からの効果付与後信号ＳＥ
の三種類がある。
【００３４】
ここで、入力信号ＳＭ，ＳＴは、ＭＩＸ２７から効果回路２５に選択的に出力されて効果が付与されるが、このように効果付与のために出力される信号ＳＭ，ＳＴは、端末システムＴＳ本体の操作子１２中の所定のスイッチを操作することにより選択的に設定される。そして、ＭＩＸ２７は、合成した全信号を、デジタルアナログ変換回路（ＤＡＣ）２８に出力すると共に、デジタル出力端子１８を介してディジタル信号で出力することができる。
【００３５】
ＤＡＣ２８、振幅制御回路（ＶＯＬ）２９及び増幅回路（ＡＭＰ）３０は、アナログ出力装置を構成する。ＤＡＣ２８から出力されるアナログ楽音信号は、音量がＶＯＬ２９により調整され、ヘッドフォン端子を介して端末システムＴＳ本体のオーディオ制御回路７に出力され、或いは、ＡＭＰ３０を介して発音用スピーカ１７に送信されて楽音として放音される。すなわち、合成された全信号は、ＶＯＬ２９からアナログ信号でオーディオ制御回路７側に出力され、ＡＭＰ３０からもアナログ信号にてスピーカ１７に供給され楽音として放音される。
【００３６】
〔発音制御回路（２）〕
図３は、この発明の他の実施例による発音制御回路の詳細な構成を表わすブロック図を示す。この例では、発音制御回路８は、回路内に発音制御ＣＰＵ３１を備え、本体ＣＰＵ１から独立して発音制御回路８の動作を制御することができる。発音制御ＣＰＵ３１、通信回路３２、タイマ３３、発音制御ＲＯＭ３４、発音制御ＲＡＭ３５、音源回路３６、効果回路３７、ミキサ回路（ＭＩＸ）３８、振幅制御回路（ＶＯＬ）３９等を備え、これらの装置３１〜３９は、発音制御回路用バス（発音制御ＢＵＳ）４０を介して互いに接続される。
【００３７】
通信回路３２は、次の２つの通信機能を有している：
（１）「本体ＢＵＳ１１との間で情報の双方向通信を行う」＝本体ＢＵＳ１１を経由して端末システムＴＳの外部から受信した楽曲情報、演奏情報、設定情報等を発音制御ＲＡＭ３５に記録する（なお、発音制御ＲＯＭ３４には、発音制御のための各種テーブル等が記録されている。）。また、音色や効果等の選択、パラメータ変更、再生する楽曲情報の選択等に関する各情報（本体操作子の操作情報）を受信する。なお、受信した情報は、発音制御ＣＰＵ３１の動作で解釈され、各情報に合わせた処理、例えば選択された音色に関する設定を音源回路３６に対して行う等の処理が実施される。
【００３８】
（２）「オーディオ制御回路７と情報の双方向通信を行う」＝発音制御回路８の内部で合成した楽音信号等をオーディオ制御回路７に送信したり、オーディオ制御回路７から受信した通話音信号等の信号を発音制御回路８内で加工したり、また、加工した信号を再びオーディオ制御回路７へ送信したりする等の処理を行う。上述の加工には、例えば、通話音への効果付与処理や通話音声の音高／音色変換処理がある。
【００３９】
発音制御ＣＰＵ３１は、端末システムＴＳ本体から独立して、発音制御回路８内の動作を制御し、タイマ３３から発生される信号に基づいて、発音制御ＲＯＭ３４や発音制御ＲＡＭ３５内に記憶されている演奏情報を順次読み出すことにより、着信メロディやＢＧＭ等の楽音を再生する。発音制御ＣＰＵ３１は、また、発音制御ＲＯＭ３４や発音制御ＲＡＭ３５内の設定情報を発音制御ＢＵＳ４０を介して音源回路３６や効果回路３７等に送信して再生させ、さらに、楽音の音色や付与効果の設定を制御することもできる。
【００４０】
タイマ３３は、所定時間毎に信号を発生する。ここで発生される信号に基づいて着信メロディ音やＢＧＭ音等の楽音の発音タイミングを制御し、発生楽音の演奏テンポを決定する。このテンポはユーザによる制御が可能である。
【００４１】
発音制御ＲＯＭ３４は、着信メロデイ用やＢＧＭ用等の所定の楽曲情報、演奏情報、設定情報、情報形式変換用の変換テーブル、情報圧縮用の圧縮テーブルをそれぞれ複数記憶しており、発音制御ＲＡＭ３５は、追加された或いは新規に作成された複数の楽曲情報、演奏情報、設定情報を記憶することができる。
【００４２】
音源回路３６は、この例では、ＦＭ音源であり、複数音の同時発音が可能である。発音制御ＲＯＭ３４や発音制御ＲＡＭ３５から発音制御ＢＵＳ４０を介して送信される音色に関する設定情報に基づいて発音音色を設定する。音源回路３６は、また、発音制御ＣＰＵ３１およびタイマ３３の制御により、発音制御ＲＯＭ３４や発音制御ＲＡＭ３５から送信される演奏情報に基づいて、設定されている音色に対応する楽音信号を順次合成し、ＭＩＸ３８に出力する。
【００４３】
効果回路３７は、発音制御ＲＯＭ３４や発音制御ＲＡＭ３５から発音制御ＢＵＳ４０を介して送信される効果に関する設定情報に基づいて、楽音に付与する効果を設定する。効果回路３７は、また、ＭＩＸ３８から入力される信号および通信回路３２から入力される通話音信号ＳＴ等に対して効果を付与し、付与した後の信号ＳＥを再びＭＩＸ３８に出力する。
【００４４】
ＭＩＸ３８は、入力される信号を合計し、デジタルアナログ変換回路（ＤＡＣ）４１及びディジタル出力端子１８に出力する。ＭＩＸ３８に入力される信号には、
（１）音源回路３６からの合成楽音信号ＳＭ、
（２）オーディオ制御回路７からの通話音信号ＳＴ、
（３）効果回路３７からの効果付与後信号ＳＥ
などがある。ＭＩＸ３８は、効果付与のために、入力信号ＳＭ，ＳＴを選択的に効果回路３７に出力し、この出力信号は端末システムＴＳ本体側の操作子１２の所定スイッチの操作により設定される。
【００４５】
振幅制御回路（ＶＯＬ）３９及び増幅回路（ＡＭＰ）４２はアナログ出力装置を構成し、ＤＡＣ４１から出力されるアナログ楽音信号の音量はＶＯＬ３９により調整され、音量調整されたアナログ楽音信号は、ヘッドフォン端子からオーディオ制御回路７へ出力されると共に、更に、ＡＭＰ４２を介して発音用スピーカ１７に送信される。
【００４６】
〔端末システムの使用環境〕
図４は、この発明の一実施例による携帯用電話機端末の使用環境の一例を表わす概念図である。第１環境では、携帯用電話機端末（端末システム）ＴＳから送受信回路６を介して基地局（サーバ局）ＢＳに通話を行い、所望の楽曲情報等を選曲しその送信を要求すると、対応する楽曲情報等が基地局ＢＳから送信され、端末システムＴＳ内にダウンロードし、この情報を利用して着信時のメロディ音や通話中のＢＧＭ音等を発音させることができる。
【００４７】
第２環境においては、端末システムＴＳは、通信Ｉ／Ｆ１０に接続される通信ケーブル２０を介してパーソナルコンピュータ端末ＰＣで作成された楽曲情報等を受信し、これをメロディやＢＧＭ等として利用することができる。
【００４８】
また、端末システムＴＳは、第３環境では、接続回路９に装着される小型の外部記録媒体１９に記録されている楽曲情報等を記録媒体１９から導入し、また、第４環境では、他の電話機端末ＯＳから、基地局ＢＳを経由して電話回線及び送受信回路６を介して、或いは、通信ケーブル２０及び通信Ｉ／Ｆ１０を介して、他の電話機端末ＯＳの楽曲情報等を受信し、これらの情報を楽音発音に利用することができる。
【００４９】
基地局ＢＳ、パーソナルコンピュータ端末ＰＣ、外部記憶媒体１９又は他の電話機端末ＯＳ等の楽曲情報源から、端末システムＴＳに導入される楽曲情報は、情報源ＢＳ，ＰＣやシステムＴＳ内での編集、圧縮、形式変換等によって、使用可能な形態にダウンサイジングされる。
【００５０】
例えば、これらの楽曲情報源から端末システムＴＳ内に導入される楽曲情報（演奏情報及び設定情報を含む。）は、自機種に合ったフォーマットの場合もあり別のフォーマットの場合もある。自機種に合ったフォーマットが導入される場合は、予めこのフォーマットで作成されているか、或いは、別のフォーマットからフォーマット変換（形式変換）されたものであり、この形式変換は、基地局ＢＳ或いはパーソナルコンピュータ端末ＰＣ内にて行われる。また、別のフォーマットが端末システムＴＳに導入される場合には、端末システムＴＳ内において、別のフォーマットを端末システムＴＳでのフォーマットに変換する。
【００５１】
〔情報フォーマット〕
図５は、この発明の一実施例による携帯用電話機端末における自機種の情報フォーマットの例を示す。この携帯用電話機端末システムＴＳ及びこの端末システムＴＳと同じフォーマットで情報処理を行う同一機種の他の電話機端末において取扱いが可能な「自機種対応の楽曲情報ＩＡ」は、図５に示すように、音色／効果を設定する設定情報ＳＡと楽音演奏用の演奏情報ＭＡとから構成される。各情報ＳＡ，ＭＡは、端末システム内メモリ（ＲＡＭ３）の記憶容量を圧迫せず、しかも、よりよい楽音の発音を実現することができるように、必要最小限の情報のみを記録したものであり、端末システムＴＳ内では、これらの情報に従って発音制御が行われる。以下、このタイプの情報フォーマットを「自機種フォーマットＡ」という。
【００５２】
設定情報ＳＡは、音色に関して、
（１）音色種類を識別するための音色ナンバＮＡ、
（２）音源回路における音色を設定するための詳細な情報（音色パラメータ）ＤＡ
を含んでいる。（２）の音色パラメータＤＡには、アルゴリズムデータＡＡ、周波数パラメータ（Ｆパラメータ）ＦＡ、エンベロープパラメータ（ＥＧパラメータ）ＥＡ等がある。
【００５３】
アルゴリスムデータＡＡは、ＦＭ音源における複数のオペレータ〔サイン波メモリ＋アウトプットレベル演算器＋エンベロープ（ＥＧ）波形合成器のセット〕の組合せ即ちアルゴリズムを決定するためのパラメータであり、ＦパラメータＦＡは、各オペレータ毎の、読出サイン波の周波数を決定するためのパラメータであり、ＥＧパラメータＥＡは、エンベロープ波形（ＥＧ波形）を合成するための複数のレベル値及びレート値を設定するためのパラメータである。
【００５４】
また、設定情報ＳＡには、このような音色設定用の情報ＮＡ，ＤＡ以外に、効果パラメータを設定する情報、効果回路２５の内容を決定する効果プログラム（ＤＳＰプログラム）、音声情報、画像情報等がある。
【００５５】
演奏情報ＭＡは、タイミングデータＴＭ、キーナンバＫＮ、ゲートタイムＧＴ等から成る演奏を行うための情報を演奏順に記録したものであり、複数同時発音可能な演奏情報が記録されている。
【００５６】
図６は、他機種の携帯用電話機端末における従来形の情報フォーマットの例を示す。携帯用電話機端末において着信メロディ用情報として用いられている従来タイプの楽曲情報ＩＢは、図６に示すように、記号ａ，ｂ，ｃ，…からなる記号列で表わされる演奏情報のみであり、設定情報は存在しない。以下、このタイプの情報フォーマットを「従来形フォーマットＢ」という。
【００５７】
他機種の演奏情報ＩＢは、より詳細にいうと、所定の規則に従って、楽曲の演奏順に記号（＃、１、２、３、…）を並べたものである。例えば、数字の「１」は“ド”の音高に、数字の「２」は“レ”の音高に、…、相当するものとし、これらの数字の連続数に応じて発音音長を規定する。従って、記号列ａ，ｂ，ｃ，…により「１−１−２−１−１−…」が表わされる場合、この記号列は、“ド”を４分音符長発音させたのち、“レ”を８分音符長発音させ、その後、再び“ド”を４分音符長発音させる楽音を表わす。
【００５８】
図７は、従来より電子楽器等で使用されている汎用の楽音情報フォーマットの例を示す。従来の電子楽器等では、汎用楽音情報フォーマット〔“ＳＭＦ”（Standard MIDI File）フォーマット〕に沿って、図７に示すように、音色／効果を設定するための設定情報ＳＣと楽音演奏用の演奏情報ＭＣとから構成される楽音情報ＩＣが使用されている。以下、このタイプの情報フォーマットを「ＳＭＦフォーマットＣ」という。
【００５９】
設定情報ＳＣのうち音色を設定するための情報は、
（１）音色識別情報としての音色ナンバＮＣ、
（２）音色設定用詳細情報ＤＣ
から構成されている。
【００６０】
（２）の音色設定用詳細情報ＤＣは、図７にも示すように、端末システムＴＳ用の楽曲情報ＩＡとは異なり、情報量が多い。例えば、アルゴリズムデータＡＣやＦパラメータＦＣの外に、発音する音高によってＥＧのレベルを制御するレートスケールデータＲＳが記憶されていたり、ＥＧパラメータＥＣについても、その内容がより詳細な情報を含んでおり、図５の自機種フォーマットＡにおける設定情報ＳＡ中のＥＧパラメータＥＡよりも、レベル値及びレート値の数が多い。なお、このような詳細情報ＤＣ中の過多情報は、端末システムＴＳを含むシステム内において、ＳＭＦフォーマットＣから自機種フォーマットＡに形式変換する際に、端末システムＴＳにおいては必要不可欠でない情報として、圧縮（削除）されることになる。
【００６１】
演奏情報ＭＣは、「デュレーションＤＲ＋イベントＩＶ」形式の情報であり、キーオン、キーオフイベントがそれぞれデュレーションデータＤＲと共に記憶されるので、情報量がやや多くなっている。また、各キーオン毎にベロシティデータが記録されるが、このベロシティデータも自機種フォーマットＡへの形式変換の際に圧縮（削除）される。
【００６２】
〔基地局との情報授受〕
図８及び図９は、この発明の一実施例による端末システム及び基地局から成る第１システムにおける情報授受関係を表わす機能的ブロック図を示す。この発明では、自端末即ち携帯用電話機端末システムＴＳは基地局ＢＳから楽曲情報や設定情報を受信するが、これらの情報は、情報要求時に基地局ＢＳ側で必要に応じて形式変換され、受信時には端末システムＴＳにおいて利用可能な情報とされている。
【００６３】
まず、端末システムＴＳは、要求情報送信モジュール（Ｓ１）により、送受信回路６を介して基地局（サーバ局）ＢＳに電話をし、所定の指示に従ってサーバ局ＢＳのデータベースＤＢ内の情報に対してダウンロードを要求する。具体的には、例えば、サーバ局ＢＳとの通話中、データベースＤＢに蓄積されている楽曲情報、演奏情報、設定情報等が自端末システムＴＳの表示部１３に順次表示されるので、操作子１２を用いて、これらの情報の何れかに対応する番号をキー入力し、且つ、要求決定操作を行うことによって、要求するダウンロード対象情報を表わす選択情報と自端末システムＴＳの機種・機番及び端末システムＴＳの音源回路２４に装備されている音源の種類を表わす識別情報をサーバ局ＢＳに送信する。
【００６４】
サーバ局ＢＳにおいては、端末システムＴＳから要求情報が送信されたことに応答して、選択読出モジュール（Ｂ１）により、データベースＤＢから要求情報に対応する楽曲情報等が選択的に読み出され、読み出された演奏情報等は、自機種フォーマットＡの場合は、フォーマット変換（形式変換）が不要なので、直ちに課金モジュール（Ｂ２）に手渡される。一方、読み出された演奏情報等が従来形フォーマットＢのように自機種と異なるフォーマットの場合には、設定情報添付モジュール（Ｂ３）及び形式変換モジュール（Ｂ４）を介して課金モジュール（Ｂ２）に手渡される。
【００６５】
設定情報添付モジュール（Ｂ３）においては、読み出された自機種と異なるフォーマットの演奏情報が、例えば、従来形フォーマットＢの情報のように、設定情報をもたないものであれば、設定情報を添付する。この設定情報添付により、設定情報をもたない他機種の演奏情報であっても、端末システムＴＳにおいて、音源機能を活かして効果的な音色／効果を付与した楽音再生を行うことができるようになる。設定情報添付方法には、
（１）予め決められた設定情報を添付する、
（２）ユーザ選択の設定情報を添付する、
（３）演奏情報に馴染む設定情報を自動検出して添付する
等の方法がある。
【００６６】
設定情報が添付された演奏情報は、形式変換モジュール（Ｂ４）に手渡され、予め用意されている変換テーブルＴＢを利用して、自機種フォーマットＡへの形式変換が自動的に行われる。この変換テーブルＴＢは、形式変換前及び形式変換後のフォーマット組合せ毎に用意され、例えば、従来形フォーマットＢから自機種フォーマットＡへの変換規則を記述しているテーブルであり、演奏情報を別機種フォーマット（Ｂ）から自機種フォーマットＡに形式変換を行う。
【００６７】
なお、他機種のフォーマットには、図９には例示されていないが、従来形フォーマットＢの外にＳＭＦフォーマットＣ等の場合もあり、例えば、ＳＭＦフォーマットＣの情報が読み出された場合は、変換テーブルＴＢ内のＳＭＦフォーマットＣから自機種フォーマットＡへの変換規則を用いて形式変換を行う。従って、このような形式変換機能により、要求した情報が他機種（Ｂ，Ｃ等）のものであっても、自端末システムＴＳで発音可能な楽曲情報ＩＡに変換され、端末システムＴＳでの使用を可能にする。
【００６８】
その後、課金モジュール（Ｂ２）においては、ダウンロードに対する課金作業が行われる。この作業においては、端末システムＴＳから送信された識別情報（端末の機種・機番、音源種類）を参照することにより、特定の機種あるいは特定の音源装置（サーバ局等との特定契約）を装備した端末であることが認識された場合に、課金金額を割り引きするように構成することができる。
【００６９】
サーバ局ＢＳは、課金作業の後、情報送信モジュール（Ｂ５）により、端末システムＴＳからの選択情報に対応する自機種フォーマットＡの楽曲情報や設定情報をシステムＴＳ側に送信する。
【００７０】
これに対して、端末システムＴＳでは、情報受信モジュール（Ｓ２）により、サーバ局ＢＳから送受信回路６を介して楽曲情報や設定情報を受信しダウンロードし、ダウンロードした情報は本体ＲＡＭ３に記憶される。ここで、要求情報送信モジュール（Ｓ１）により要求してから、要求に対応する情報が基地局ＢＳから送信され終わるまでの間、端末システムＴＳは、通話状態であってもよい。また、要求情報送信後に一旦通話を解除し、その後の通話処理（メールや基地局ＢＳからの返信通話）により要求した情報を受信するようにしてもよい。
【００７１】
そして、設定モジュール（Ｓ３）においては、ユーザの設定操作により、受信した楽曲情報に基づく着信メロディ発音が可能な状態に設定を行う。また、受信した情報は、通話時のＢＧＭや随時の音楽等として再生するように設定することもできる。
【００７２】
〔パーソナルコンピュータとの情報授受〕
図１０は、この発明の一実施例による端末システム及びパーソナルコンピュータから成る第２システムにおける情報授受関係を表わす機能的ブロック図を示す。この発明では、自端末即ち携帯用電話機端末システムＴＳは、パーソナルコンピュータ端末ＰＣ上で作成した楽曲情報や設定情報を受信し、これらの情報を利用することができる。楽曲情報や設定情報は、任意のフォーマットで作成することができる。例えば、操作性が良いという理由のため、従来のＳＭＦフォーマットＣに従って作成することができ、このように自機種フォーマットＡと異なる場合は、送信時に自機種フォーマットＡへのフォーマット変換（形式変換）が行われる。
【００７３】
パーソナルコンピュータ端末ＰＣにおいて、インストールされている所定のソフトウエアを利用し、選択読出モジュール（Ｐ１）により、ＳＭＦフォーマットＣ又は自機種フォーマットＡで情報が記録されているコンピュータ端末ＰＣ内のデータベースＤＰから、着信メロディやＢＧＭ等として使用したい楽曲情報や設定情報を選択すると、これに応じて、情報編集モジュール（Ｐ２）により、選択した楽曲情報や設定情報を編集する。この編集作業としては、例えば、設定情報内の音色パラメータや効果パラメータを変更又は追加したり、楽曲情報内の演奏情報から着信メロディやＢＧＭ等として使用したい部分を選択して切り出したり、選択した楽曲情報を端末システムＴＳ側で発音されるのと同じ設定にて、つまり、圧縮された設定情報に基づく音色や効果等の設定状態における「試し発音」を行う、などがある。
【００７４】
一方、パーソナルコンピュータ端末ＰＣ上で楽曲情報を新規に作成する場合は、例えば、コンピュータ端末ＰＣ上にインストールされている従来のＳＭＦタイプのシーケンサソフトウエア（楽曲情報作成ソフトウエア）等を用い、新規作成モジュール（Ｐ３）により、ユーザの手入力による新規楽曲情報を作成する。ここで作成される新規楽曲情報は、例えば、ＳＭＦフォーマットＣに従う楽曲情報である。
【００７５】
新規作成モジュール（Ｐ３）は、また、自動作曲ソフトウエア（装置）を用いて、自動的に新規楽曲情報を作成することもできる。この場台、従来の自動作曲ソフトウエア乃至自動作曲装置を応用し、例えば、従来の自動作曲ソフトウエアで作成された１曲分の楽曲情報から、所望区間の楽曲（さびの部分等）のみを切り出す、複数トラックで構成されている楽曲情報のうち、必要最小限のトラック（メロディトラック、和音トラック等）の情報のみを切り出す、切り出した区間の楽曲情報が繰り返し再生されたときにうまく繋がるように繋がり部（区間先頭及び区間最終位置）を補正する、等々の作業を実行することができる。なお、新規作成モジュール（Ｐ３）は、さらに、着信メロディやＢＧＭ等に相当する楽曲情報を、直接、自機種フォーマットＡで作成することもできる。
【００７６】
情報編集モジュール（Ｐ２）からの読出乃至編集がなされた情報や新規作成モジュール（Ｐ３）で新規に作成された情報のうち、情報フォーマットがＳＭＦフォーマットＣのように自機種フォーマットＡでない情報については、情報圧縮モジュール（Ｐ４）及び形式変換モジュール（Ｐ５）により、情報の圧縮及び形式変換が行われる。一方、自機種フォーマットＡの情報は、直ちに情報送信モジュール（Ｐ６）に手渡される。
【００７７】
自機種フォーマットＡでない情報は、先ず、端末システムＴＳに記憶することができるように、情報圧縮モジュール（Ｐ４）により、予め用意された圧縮テーブルＴＥを使用してその内容が圧縮される。この圧縮テーブルＴＥは、圧縮前及び圧縮後のフォーマット組合せ毎に用意され、所定の情報圧縮規則を記述している。この情報圧縮規則に基づく処理の具体例としては、既に説明したＳＭＦフォーマットＣ（図７参照）のレートスケールＲＳやＥＧパラメータＥＣ中の過多情報のような不要情報を、自機種フォーマットＡへの変換時に削減する処理の他に、複数トラック構成の演奏情報から必要なトラック（メロディトラック及び和音トラックのみ等）の演奏情報を取り出したり、演奏情報中の装飾音を削除したり、演奏情報中のピッチベンドデータを音高データに変更する、等の処理がある。
【００７８】
圧縮された情報は、さらに、次の形式変換モジュール（Ｐ５）により、図８及び図９の実施例（第１システム）における形式変換モジュール（Ｂ４）と同様に、変換テーブルＴＣを用い、例えば、ＳＭＦフォーマットＣから自機種フォーマットＡへの形式変換がなされる。
【００７９】
元々自機種フォーマットＡであるモジュール（Ｐ２，Ｐ３）からの楽曲情報乃至設定情報、及び、自機種フォーマットＡに圧縮・変換されたモジュール（Ｐ５）からの楽曲情報乃至設定情報は、情報送信モジュール（Ｐ６）により、端末システムＴＳ側に送信され、通信ケーブル２０及び通信Ｉ／Ｆ１０を介して端末システムＴＳ内に送り込まれる。
【００８０】
これに対して、端末システムＴＳでは、情報受信モジュール（Ｔ１）により、パーソナルコンピュータ端末ＰＣ側Ｓからの楽曲情報や設定情報が受信され本体ＲＡＭ３内に記憶される。さらに、設定モジュール（Ｔ２）において、ユーザの設定操作により、受信した楽曲情報に基づく着信メロディ発音やＢＧＭ発音等が可能な状態に設定を行う。
【００８１】
〔記録媒体及び他端末との情報授受〕
図１１は、この発明の一実施例による端末システム及び記録媒体乃至他の端末機から成る第３システムにおける情報授受関係を表わす機能的ブロック図を示す。この発明では、自端末即ち携帯用電話機端末システムＴＳは、外部記憶媒体１９や他の同一機種乃至異機種の電話機端末ＯＳａ，ＯＳｂなどから受信した情報を着信メロディやＢＧＭ等に利用することができ、この場合、自端末システムＴＳにて、情報圧縮、フォーマット変換（形式変換）、情報編集等を行うことができる。
【００８２】
着脱可能な小型外部記憶媒体１９に楽曲情報、演奏情報、設定情報等を、自機種フォーマットＡ或いは他のフォーマット（例えば、フォーマットＢ，Ｃ）で記録しておき、これらの情報が記録された記憶媒体１９を自端末システムＴＳに装着し、所望の情報（その情報が何れのフォーマットで作成されているかを表わす情報が添付されている。）を、接続回路９を介して自端末システムＴＳ内に読み出す。この読出しに当っては、自端末システムＴＳの操作子１２における所定スイッチを操作することによって、所望情報のみを読み出すことができる。
【００８３】
他の電話機端末ＯＳａから送信される情報は、基地局ＢＳを経由し電話回線を介して送受信回路６から自端末システムＴＳ内に取り込まれる。また、別の他の電話機端末ＯＳｂから送信される情報は、通信ケーブル２０を介して通信Ｉ／Ｆ１０から、自端末システムＴＳ内に取り込まれる。これらの電話機端末ＯＳａ，ＯＳｂには、自機種フォーマットＡと同一のフォーマット情報を使用する同一機種電話機端末である場合と、例えば、従来形フォーマットＢやＳＭＦフォーマットＣのように、自機種フォーマットＡとは異なる他のフォーマット情報を使用する異機種電話機端末である場合とがある。
【００８４】
他の電話機端末ＯＳａ，ＯＳｂから情報を送信する場合、送信する各情報には、その情報が何れのフォーマットで作成されているかを表わす情報が添付されている。なお、受信側端末である自端末システムＴＳにおいて受信情報をリアルタイムで設定使用すること（即ち、自端末システムＴＳでの受信後、直ちに設定使用すること）を、情報送信側端末である他の電話機端末ＯＳａ，ＯＳｂ側にて要求することができるように構成してもよい。また、基地局ＢＳを通して情報を送信する場合、基地局ＢＳにおいて情報圧縮や形式変換等を行ったのちに受信側端末（自端末）に情報を送信するように構成することもできる。
【００８５】
情報受信／読取モジュール（Ｕ１）は、上述のように、外部記憶媒体１９から楽曲情報、演奏情報、設定情報等を読み出したり、他の電話機端末ＯＳａ，ＯＳｂから送信される同様の諸情報を取り込むと共に、読み出された情報或いは受信した情報のうち、従来形フォーマットＢ或いはＳＭＦフォーマットＣ等の情報は、設定情報添付モジュール（Ｕ２）、情報圧縮モジュール（Ｕ３）及び形式変換モジュール（Ｕ４）の系列を介して圧縮・変換した後、情報記録／編集モジュール（Ｕ５）に手渡し、自機種フォーマットＡの情報は、そのまま、情報記録／編集モジュール（Ｕ５）に手渡す。
【００８６】
設定情報添付モジュール（Ｕ２）、情報圧縮モジュール（Ｕ３）及び形式変換モジュール（Ｕ４）は、基本的に、図８及び図９の実施例（第１システム）並びに図１０の実施例（第２システム）における設定情報添付モジュール（Ｂ３）、情報圧縮モジュール（Ｐ４）及び形式変換モジュール（Ｂ４，Ｐ５）による設定情報添付、情報圧縮及び形式変換処理と同様の処理を行う。設定情報添付モジュール（Ｕ２）による設定情報添付、従来形フォーマットＢの情報のように、設定情報が添付されていない情報についてのみ実行される。このような情報圧縮及び形式変換処理は、一旦、全情報を受信して自端末システムＴＳ内のメモリ（本体ＲＡＭ３）に書き込んだ後実施する方法、受信しながらリアルタイムで圧縮・変換を実行して必要な情報のみをメモリ（本体ＲＡＭ３）に格納する方法等がある。後者の方法は、メモリ容量の少ない携帯用電話機端末に対して有効である。
【００８７】
自端末システムＴＳで受信され本体ＲＡＭ３に記憶された情報は、情報記録／編集モジュール（Ｕ５）により操作子１２の各種スイッチを利用して編集することができる。この編集作業には、設定情報ＳＡ中の各種パラメータ（ＤＡ）の追加、削除、値変更などがある。さらに、このモジュール（Ｕ５）により、新規楽曲情報を作成するように構成することもできる。そして、設定モジュール（Ｕ６）において、ユーザの設定操作により、受信した楽曲情報に基づく着信メロディ発音やＢＧＭ発音等が可能な状態に設定を行う。
【００８８】
〔自端末システムでの自端末処理〕
図１２は、この発明の一実施例による端末システムにおける自端末処理フローの一例を示す。この自端末処理は、図８及び図９の実施例（第１システム）、図１０の実施例（第２システム）並びに図１１の実施例（第３システム）の場合に、自端末システムＴＳにおいて実行される。先ず、第１ステップＴＲ１において、端末システムＴＳの電源がオンした時の初期化処理（イニシャライズ）、例えば、所定着信メロディの設定、音源回路２４，３６及び効果回路２５，３７への初期パラメータの設定、その他携帯用電話機端末に関する初期化処理を行う。この処理の後、第２〜第６ステップＴＲ２〜ＴＲ６の処理ルーチンが順次実行される。
【００８９】
第２ステップＴＲ２は送信処理ルーチンであり、このステップでは、通常通話時における各種情報を送信する外、必要に応じて、図８及び図９の実施例（第１システム）の場合、選択情報と識別情報の送信等を行う。第３ステップＴＲ３は受信処理ルーチンであり、このステップでは、受信された情報を分析して各種処理を行い、受信情報を着信メロディ曲やＢＧＭ曲情報等として選択可能な状態にする。このステップでは、図８及び図９の実施例（第１システム）並びに図１０の実施例（第２システム）の場合は、受信した情報を本体ＲＡＭ３に書き込み、図１１の実施例（第３システム）の場合には、受信した情報に対して設定情報添付、圧縮及び形式変換の処理を施し、それらの処理を実行した後の情報を本体ＲＡＭ３に書き込む。
【００９０】
第４ステップＴＲ４は選択／設定処理ルーチンであり、このステップでは、操作子１２の所定スイッチの操作により、自端未システムＴＳの本体ＲＯＭ２内に予め記録されている情報又は本体ＲＡＭ３内に記憶された受信情報から、着信メロディやＢＧＭ等に使用したい情報が選択されたときの処理を行う。この場合、選択された情報中に演奏情報があれば、その演奏情報を着信メロディ曲情報やＢＧＭ曲情報等として使用可能となるように読出設定を行う。また、選択された情報中に設定情報があれば、その情報に従った各種の設定が行われ、例えば、音源回路２４，３６における音色パラメータの設定、効果回路２５，３７における効果パラメータの設定、効果回路２５，３７の内容を決定する効果プログラム（ＤＳＰプログラム）による効果回路プログラムの変更、音声情報や画像情報に関連する設定等々を行う。
【００９１】
また、図８及び図９の実施例（第１システム）の場合は、第４ステップＴＲ４にて、操作子１２の所定スイッチの操作により、ダウンロードしたい情報の選択に関する処理を行う。さらに、図１１の実施例（第３システム）の場合は、第４ステップＴＲ４にて、操作子１２の所定スイッチの操作により、外部記録媒体１９からの所望情報の読出指示に関する処理を行う。
【００９２】
第５ステップＴＲ５は、エディット処理ルーチンであり、このステップでは、図１１の実施例（第３システム）の場合、操作子１２の所定スイッチの操作に基づいて情報編集処理乃至新規作成処理を行う。
【００９３】
この端末システムＴＳには自動作曲機能をもたせることができるが、この場合、第６ステップＴＲ６のその他処理ルーチンにおいて、その他処理として、自動作曲機能の動作が実行される。この自動作曲機能としては、例えば、
（１）ユーザがマイク入力したメロディを自動的に演奏（楽曲）情報に変換する機能、
（２）操作子１２の所定スイッチの操作により曲の雰囲気等を選択することによって、選択操作の結果に応じた演奏（楽曲）情報を自動生成する機能、
（３）既に作成乃至記憶されている演奏情報に対して、その演奏情報に馴染む和音に関する演奏情報を自動生成する機能
等をあげることができる。
【００９４】
また、この端末システムＴＳにはスタイル再生機能、つまり、複数のスタイル情報や演奏情報を記録しておき、それらを繋ぎあわせて楽曲として再生する機能をもたせることができ、この場合、第６ステップＴＲ６におけるその他処理ルーチンにおいて、スタイル再生機能の動作が実行される。さらに、第６ステップＴＲ６には、音楽ゲーム機能、つまり、自機種のみで行う音楽ゲームや他機種と通信しながら行う音楽ゲームなどを実行する機能をもたせてもよい。
【００９５】
第２〜第６ステップＴＲ２〜ＴＲ６の処理ルーチンは、次の第７ステップＴＲ７で端末システムＴＳの電源がオフしたことが検出されない間は（電源がオフにならない限り）繰り返し実行され、電源がオフされたことが検出された場合に、この自端末処理は終了する。
【００９６】
〔基地局でのサーバ処理〕
図１３は、この発明の一実施例による基地局におけるサーバ処理フローの一例を示す。このサーバ処理は、図８及び図９の実施例（第１システム）並びに図１１の実施例（第３システム）の場合に、基地局（サーバ局）ＢＳにおいて実行される。先ず、第１ステップＢＲ１で所定のイニシャライズが行われた後、第２〜第４ステップＢＲ２〜ＢＲ４の処理ルーチンが順次実行される。
【００９７】
先ず、第２ステップＢＲ２の受信処理ルーチンにおいては、図８及び図９の実施例（第１システム）の場合、次の（１）〜（４）の処理を行う：
（１）端末システムＴＳからのダウンロード要求の通話に応答する通話処理、
（２）通話応答時に端末システムＴＳから送信される選択情報及び識別情報を受信する受信処理、
（３）受信した選択情報に従って、端末システムＴＳ側に送信すべき情報を選択的に読み出す選択読出処理（選択読出モジュールＢ１）、さらに、必要に応じて行われる設定情報添付処理（設定情報添付モジュールＢ３）及び形式変換処理（形式変換モジュールＢ４）、
（４）受信した識別情報に従って実施される課金処理（課金モジュールＢ２）。
【００９８】
また、第２ステップＢＲ２の受信処理ルーチンでは、図１１の実施例（第３システム）の場合、他の電話機端末ＯＳａから電話回線を介して端末システムＴＳの送受信回路６に情報を送信する際の経由手段として、両端末ＯＳａ，ＴＳ間での情報の送受信に関与する経由処理が行われ、この際、必要に応じて形式変換処理が実施される。
【００９９】
次の第３ステップＢＲ３の送信処理ルーチンにおいては、図８及び図９の実施例（第１システム）（第１システム）の場合、サーバ局ＢＳ内のデータベースＤＢから読み出され、必要に応じて自機種フォーマットＡに形式変換された情報を端末システムＴＳに送信する処理を行い、送信時には、裸金関連情報等、その他情報を添付することもできる。また、図１１の実施例（第３システム）の場合には、端末システムＴＳから受信した情報を他の電話機端末ＯＳａへ送信するほか、端末システムＴＳで選択されたサーバ局ＢＳにおけるデータベースＤＢ内の情報を他の電話機端末ＯＳａに送信することもできる。
【０１００】
続く第４ステップＢＲ４のその他処理ルーチンにおいては、端末システムＴＳからの要求に合わせて、楽曲情報、演奏情報、設定情報等の内容の一部のみを送信することもできる。例えば、設定情報中の音色に関する情報のみを送信し、効果に関する情報は送信しないなどの処理を行うことができ、また、情報のストリーミング送信（リアルタイム再生）により、楽曲情報等の「試し聞き」等を行うこともできる。
【０１０１】
第２〜第４ステップＢＲ２〜ＢＲ４の処理ルーチンは、次の第５ステップＢＲ５でサーバ局ＢＳの電源がオフしたことが検出されない間は繰り返し実行され、電源がオフしたことが検出されると、このサーバ処理は終了する。
【０１０２】
〔パーソナルコンピュータでのＰＣ端末処理〕
図１４は、この発明の一実施例によるパーソナルコンピュータにおけるＰＣ端末処理フローの一例を示す。このＰＣ端末処理は、図１０の実施例（第２システム）の場合にパーソナルコンピュータ端末ＰＣにおいて実行される。先ず、第１ステップＰＲ１で所定のイニシャライズが行われた後、第２〜第６ステップＰＲ２〜ＰＲ６の処理ルーチンが順次実行される。
【０１０３】
第２ステップＰＲ２の選択処理ルーチンにおいては、ＳＭＦフォーマットＣ又は自機種フォーマットＡで情報が記録されているパーソナルコンピュータ端末ＰＣ内のデータベースＤＰから、着信メロディやＢＧＭ等として使用したい楽曲情報や設定情報を選択する（選択読出モジュールＰ１）。
【０１０４】
第３ステップＰＲ３の新規作成処理ルーチンにおいては、従来タイプのシーケンサソフトウエア、楽曲情報作成ソフトウエア、自動作曲ソフトウエア（装置）等を用いて、ＳＭＦフォーマットＣ又は自機種フォーマットＡに従う新規楽曲情報を作成する（新規作成モジュールＰ３）。
【０１０５】
第４ステップＰＲ４の編集処理ルーチンでは選択した楽曲情報や設定情報を編集し（編集モジュールＰ２）、また、第５ステップＰＲ５の送信処理ルーチンでは、情報圧縮処理、形式変換処理及び情報送信処理を含む処理が実行される（情報圧縮、形式変換及び情報送信モジュールＰ４〜Ｐ６）。
【０１０６】
さらに、第６ステップＰＲ６のその他処理ルーチンにおいては、設定情報ＳＡ内にその他情報を添付する。ここで添付されるその他情報の具体例を挙げると、効果回路の内容を決定する効果プログラム（ＤＳＰプログラム）、音声情報、画像情報等である。
【０１０７】
第２〜第６ステップＰＲ２〜ＰＲ６の処理ルーチンは、次の第７ステップＰＲ７でパーソナルコンピュータ端末ＰＣの電源がオフしたことが検出されない間は繰り返し実行され、電源がオフしたことが検出されると、このＰＣ端末処理は終了する。
【０１０８】
〔音声情報及び画像情報の利用例〕
この発明では、既に説明したように、楽音関係以外の設定情報として、音声情報や画像情報が用いられる。例えば、音声情報には、圧縮形式の差によって、ＷＡＶＥ、ＡＩＦＦ、ＳＯＵＮＤ  ＶＱ、ＭＰ３等のフォーマットがあるが、これらの形式の音声情報を取り込むことができるように共通フォーマット化を行い、楽音情報による楽音信号の生成と併行して、案内用の音声信号を生成することができる。
【０１０９】
また、画像情報の利用例としては、端末システムＴＳの表示部１３に、着信時や通話相手に対応するアイコンを表示し、アイコンの動きを楽音の再生に同期するよう制御したり、楽音信号に対応する譜面を順次表示することができる。
【０１１０】
〔種々の実施態様〕
携帯用端末装置で使用可能な楽音情報のフォーマットは、自機種フォーマットＡに限られるものではない。例えば、図３のような発音制御回路を搭載し、この回路のなかで、従来の電子楽器で使用されている自動演奏機能（シーケンサー）を動作させることにより、ＳＭＦフォーマットＣの楽曲情報をそのまま再生できるようにすることも可能である。この場合、他の楽音情報源装置（ＰＣなど）から携帯用電話機端末に情報を取り込む際に形式変換をしなくて済む。しかし、圧縮処理は行う方が好ましい。
【０１１１】
実施例では、音源回路における楽音合成方式としてＦＭ方式を採用しているが、楽音合成方式はこれに限らない。例えば、波形メモリ方式、物理モデル方式、高調波合成方式、フォルマント合成方式、「ＶＣＯ＋ＶＣＦ＋ＶＧＡ」のアナログシンセサイザ方式等、種々の方式を適用することができ、これらの何れであってもよい。つまり、音源回路の楽音合成方式によって、設定情報として記録される音色に関する各種情報は異なってくるが、基本的には、従来より電子楽器で使用されている各楽音合成方式に対応する多種のパラメータ情報を採用することができる。
【０１１２】
また、音源回路自体については、専用のハードウエアを用いて音源回路を構成するものに限らず、「ＤＳＰ＋マイクロプログラム」を用いて音源回路を構成するようにしてもよいし、「ＣＰＵ＋ソフトウェア」のプログラムで音源回路を構成するようにしてもよい。
【０１１３】
さらに、１つの回路を時分割で使用することによって複数の発音チャンネルを形成するようなもでもよいし、１つの発音チャンネルが１つの回路で構成されるような形式のものであってもよい。
【図面の簡単な説明】
【０１１４】
【図１】図１は、この発明の一実施例による発音制御装置が適用される携帯用電話機端末の基本的構成を表わす概略ブロック図である。
【図２】図２は、この発明の一実施例による発音制御回路の詳細な構成を表わすブロック図である。
【図３】図３は、この発明の他の実施例による発音制御回路の詳細な構成を表わすブロック図である。
【図４】図４は、この発明の一実施例による携帯用電話機端末の使用環境の一例を表わす概念図である。
【図５】図５は、この発明の一実施例による携帯用電話機端末における自機種の情報フォーマットの例である。
【図６】図６は、他機種の携帯用電話機端末における他機種の従来形情報フォーマットの例である。
【図７】図７は、従来より電子楽器等で使用されている汎用の楽音情報フォーマットの例である。
【図８】図８は、この発明の一実施例による携帯用電話機端末及び基地局から成る第１システムにおける情報授受関係を表わす機能的ブロック図の一部である。
【図９】図９は、この発明の一実施例による携帯用電話機端末及び基地局から成る第１システムにおける情報授受関係を表わす機能的ブロック図の他部である。
【図１０】図１０は、この発明の一実施例による携帯用電話機端末及びパーソナルコンピュータから成る第２システムにおける情報授受関係を表わす機能的ブロック図である。
【図１１】図１１は、この発明の一実施例による携帯用電話機端末及び記録媒体乃至他の電話機端末から成る第３システムにおける情報授受関係を表わす機能的ブロック図である。
【図１２】図１２は、この発明の一実施例による携帯用電話機端末での自端末処理例を示すフローチャートである。
【図１３】図１３は、この発明の一実施例による基地局でのサーバ処理例を示すフローチャートである。
【図１４】図１４は、この発明の一実施例によるパーソナルコンピュータ端末でのＰＣ端末処理例を示すフローチャートである。
【符号の説明】
【０１１５】
ＴＳ  携帯用電話機端末（端末システム、自機）、
ＢＳ  基地局（ベース局）、
ＰＣ  パーソナルコンピュータ端末、
ＯＳ，ＯＳａ，ＯＳｂ  他の電話機端末、
ＳＭ  合成楽音信号、
ＳＴ  通話音信号、
ＳＥ  効果付与後信号。
【図１】
2004318168.tif 000003
【図２】
2004318168.tif 000004
【図３】
2004318168.tif 000005
【図４】
2004318168.tif 000006
【図５】
2004318168.tif 000007
【図６】
2004318168.tif 000008
【図７】
2004318168.tif 000009
【図８】
2004318168.tif 000010
【図９】
2004318168.tif 000011
【図１０】
2004318168.tif 000012
【図１１】
2004318168.tif 000013
【図１２】
2004318168.tif 000014
【図１３】
2004318168.tif 000015
【図１４】
2004318168.tif 000016